(57)【特許請求の範囲】
【請求項１】
ブレーキドラムの周囲に配置されるケースと、このケース内に移動可能に設けられるプランジャと、上記ケース内に固設されたコアと、このコアと上記プランジャに吸引、釈放の動作を行わせる電磁コイルと、上記プランジャ動作により上記ブレーキドラムにシューを制動・開放する一対のメインレバーとを備えた電磁ブレーキ装置において、
上記ケースとプランジャの間に第一の中間プレートを配置し、この第一の中間プレートを境に、上記ケースに固定され上記第一の中間プレートと摺動する摺動部と、上記第一の中間プレートに固定され上記プランジャと摺動する摺動部を設けたことを特徴とする電磁ブレーキ装置。
【請求項２】
上記コアとプランジャの間に第二の中間プレートを配置し、この第二の中間プレートを境に、上記コアに固定され上記第二の中間プレートと摺動する摺動部と、上記第二の中間プレートに固定され上記プランジャと摺動する摺動部を設けたことを特徴とする請求項１記載の電磁ブレーキ装置。
【請求項３】
上記ケースとプランジャの摺動部に配置される第一の中間プレートと、上記コアとプランジャの摺動部に配置される第二の中間プレートとを、上記ケース、プランジャ、コアの一ヶ所以上に支持ばねを介して設けたことを特徴とする請求項１または請求項２記載の電磁ブレーキ装置。
【発明の詳細な説明】
【０００１】
【発明の属する技術分野】
本発明は、電磁ブレーキ装置、特にエレベータの電磁ブレーキ装置として用いられて好適な電磁ブレーキ装置に関する。
【０００２】
【従来の技術】
一般に、エレベーター用電磁ブレーキ装置としては、特開平８―２０４８０号公報等に示されているように、ブレーキドラムの上方に配置されるケースと、このケース内に移動可能に設けられるプランジャと、上記ケース内に固設されたコアと、このコアと上記プランジャに吸引、釈放の動作を行わせる電磁コイルと、上記プランジャの下降により動作し、上記ブレーキドラムからシューを開放する一対のメインレバーとから構成されていた。
【０００３】
【発明が解決しようとする課題】
ところで、上記従来技術においては、ケースとプランジャの摺動部或いはコアとプランジャの摺動部が、ブレーキ開放状態で固渋した場合、プランジャが上動できなくなるため、ブレーキは開放したままとなり、極めて危険な状態になるという問題があった。
【０００４】
本発明の目的は、摺動部の固渋に伴う問題を少なくした電磁ブレーキ装置を提供することにある。
【０００５】
【課題を解決するための手段】
上記目的を達成するために、本発明では、ブレーキドラムの周囲に配置されるケースと、このケース内に移動可能に設けられるプランジャと、上記ケース内に固設されたコアと、このコアと上記プランジャに吸引、釈放の動作を行わせる電磁コイルと、上記プランジャ動作により上記ブレーキドラムにシューを制動・開放する一対のメインレバーとを備えた電磁ブレーキ装置において、上記ケースとプランジャの間に第一の中間プレートを配置し、この第一の中間プレートを境に、上記ケースに固定され上記第一の中間プレートと摺動する摺動部と、上記第一の中間プレートに固定され上記プランジャと摺動する摺動部を設けた構成とする。
【０００６】
このように構成したため、仮に摺動部の一ヶ所が固渋しても他の摺動部でプランジャは移動でき、ブレーキが作動しなかったり、開放しないという問題を生じることはない。
【０００７】
【発明の実施の形態】
以下、本発明の電磁ブレーキ装置の実施の形態を図により説明する。
【０００８】
図１は電磁石部のみを断面した本発明の一実施形態になる電磁ブレーキ装置の全体正面図、図２は電磁石部の作動状態を示す説明図である。
【０００９】
図において、１はブレーキドラムで、このブレーキドラム１の外周面には一対のシュー２ａ，２ｂを備えた一対のメインレバー３ａ，３ｂが下端を可回転的に支持されて設けられている。このメインレバー３ａ，３ｂの上部にはボルト４が貫通して設けられ、このボルト４の外側には制動ばね５ａ，５ｂが設けられている。６ａ，６ｂは上記制動ばね５ａ，５ｂを固定するためのナットである。７ａ，７ｂは回転的に支持されているＬレバーで、このＬレバー７ａ，７ｂの一方には上記メインレバー２ａ，２ｂと接触するプッシュロッド８ａ，８ｂが設けられている。９は電磁石部で、この電磁石部９は、上下動可能なプランジャ１０と外殻を形成するケース１１と、このケース１１に固定されているコア１２と、このコア１２の外周側に設けられた電磁コイル１３とから構成されている。１４ａ，１４ｂは、上記プランジャ１０とケース１１との摺動部に設けられた第一の中間プレートで、この中間プレート１４ａ，１４ｂの上端は上記ケース１１に、他端はプランジャ１０に支持ばね１５ａ，１５ｂ，１６ａ，１６ｂを介して支持されている。１７ａ，１７ｂは、ケース１１に固定された摺動部で、この摺動部１７ａ，１７ｂは、第一の中間プレート１４ａ，１４ｂと摺動するようになっている。
【００１０】
１８ａ，１８ｂは、第一の中間プレート１４ａ，１４ｂに固定された摺動部で、この摺動部１８ａ，１８ｂは、プランジャ１０と摺動するようになっている。１９ａ，１９ｂは、上記プランジャ１０とコア１２との摺動部に設けられた第二の中間プレートで、この中間プレート１９ａ，１９ｂの上端は上記コア１２に、他端はプランジャ１０に支持ばね２０ａ，２０ｂ，２１ａ，２１ｂを介して支持されている。２２ａ，２２ｂは、コア１２に固定された摺動部で、この摺動部２２ａ，２２ｂは、第二の中間プレート１９ａ，１９ｂと摺動するようになっている。２３ａ，２３ｂは、第二の中間プレート１９ａ，１９ｂに固定された摺動部で、この摺動部２３ａ，２３ｂは、プランジャ１０と摺動するようになっている。
【００１１】
次に動作について図２を用いながら説明する。図２（ａ）に示すように、電源がＯＮし、電磁コイル１３に通電がなされるとコア１２とプランジャ１０とは互いに吸引し、プランジャ１０は下動する。これにより、Ｌレバー７ａ，７ｂが回転し、プッシュロッド８ａ，８ｂを介してメインレバー３ａ，３ｂを押圧する。この押圧により制動ばね５ａ，５ｂが圧縮され、メインレバー３ａ，３ｂは回転してシュー２ａ，２ｂがブレーキドラム１から開放され、ブレーキが釈放される。
【００１２】
固渋のない正常状態において、電源がＯＦＦされると、図２（ｂ）に示すように、電磁コイル１３への通電が遮断されるため、コア１２とプランジャ１３の吸引はなくなり、制動ばね５ａ，５ｂによってメインレバー３ａ，３ｂがシュー２ａ，２ｂをブレーキドラム１に圧接しブレーキトルク１００％のブレーキをかける。また、Ｌレバー７Ａ，７ｂの回転によりプランジャ１０は上動され図２（ｂ）のような状態となる。
【００１３】
今、図２（ａ）のＡ部に固渋が有るという異常状態において、電源がＯＦＦされた場合、図２（ｃ）に示すように、摺動部１７ａが固渋した状態であるため、この部分での摺動はできないが、摺動部１８ａでの摺動は可能である。したがって、プランジャ１０は摺動部１８ａで摺動し、先の図２（ｂ）と同様に、制動ばね５ａ，５ｂによる制動動作が行われて、ブレーキトルク１００％のブレーキがかる。また、プランジャ１０も正常の場合と同位置に移動できる。
【００１４】
このように、Ａ〜Ｄ部のいずれかが固渋しても、また、Ａ，Ｂ部、Ａ，Ｄ部、Ｂ，Ｃ部、Ｃ，Ｄ部同時に固渋してもプランジャ１０を摺動させることができ固渋による問題を大幅に改善できる。
【００１５】
なお、この例では、摺動部１７ａ，１７ｂ、１８ａ，１８ｂ、２２ａ，２２ｂ、２３ａ，２３ｂと、摺動部を個別に設ける例を示したが、円管状の摺動部を用いることで摺動部１７ａと１７ｂ、１８ａと１８ｂ、２２ａと２２ｂ、２３ａと２３ｂをそれぞれ一つの摺動部として構成しても良い。また、ケース１１、第一・第二の中間プレート１４ａ，１４ｂ、１９ａ，１９ｂそのものを摺動部材で構成したり、それらを３組以上配置する構成としても良い。さらに、この例ではプランジャ１０とケース１１、プランジャ１０とコア１２の両方に中間プレートを設けた例を示したが、摺動部が無い場合や固渋を起こしにくい構造の場合は、一方のみに中間プレートを設ける構成としても良い。
【００１６】
また、中間プレートを支持ばねで支持することにより、プランジャ１０のよりスムーズが移動を可能とすることができる。
【００１７】
【発明の効果】
本発明によれば、プランジャの摺動部に固渋が生じても、それが限られた部位であるなら、プランジャの摺動は可能である。したがって、ケースとプランジャの摺動部或いはコアとプランジャの摺動部が、ブレーキ開放状態で固渋した場合でも、ブレーキは全閉される。
【図面の簡単な説明】
【図１】図１は電磁石部のみを断面した本発明の一実施形態になる電磁ブレーキ装置の全体正面図である。
【図２】電磁石部の作動状態を示す説明図である。
【符号の説明】
１          ブレーキドラム
２ａ，２ｂ  シュー
３ａ，３ｂ  メインレバー
５ａ，５ｂ  制動ばね
９          電磁石部
１０        プランジャ
１１        ケース
１２        コア
１３        電磁コイル
１４ａ，１４ｂ  第一の中間プレート
１５ａ，１５ｂ、１６ａ，１６ｂ  支持ばね
１７ａ，１７ｂ、１８ａ，１８ｂ  摺動部
１９ａ，１９ｂ  第二の中間プレート
２０ａ，２０ｂ、２１ａ，２１ｂ  支持ばね
２２ａ，２２ｂ、２３ａ，２３ｂ  摺動部
【図１】
0003970688.tif 000002
【図２】
0003970688.tif 000003